(57)【要約】  【課題】楽音ソースを組み合わせてまとまった楽音コンテンツを構成するためには、ユーザの音楽的素養あるいはスキルが要求されていた。このため、専門的な音楽的素養がなくとも自動的にあるいは簡単な入力のみで楽音コンテンツを構成することが可能な方法の開発を目的とした。  【解決手段】人、気候、時刻に関して環境情報を計測することで楽音コンテンツを提供する場の環境情報を取り込み、この環境情報から楽音ソースを組み合わせ調整するためのパラメータを抽出し、このパラメータで楽音ソースの組み合わせ調整を制御する構成としている。また、このパラメータに対応付けられた形容詞・形容語の入力でパラメータの生成も可能としている。【選択図】図１
2006235201.tif 000002
【特許請求の範囲】
【請求項１】
楽音ソース読み取り手段から読み取り、該読み取られた楽音ソースをボリューム・イコライザ手段により調整し、楽音コンテンツとして音源出力手段により出力する楽音コンテンツ構成方法において、
前記楽音コンテンツを提供する場所周辺の環境状態の情報を環境情報取得手段により計測し、
前記環境情報取得手段において計測した環境情報を基に、前記ボリューム・イコライザ手段の動作を制御するための１つまたは複数のパラメータをパラメータ抽出手段において抽出し、
また、パラメータ設定手段では、外部から入力されたパラメータ生成情報を第１の入力手段を介して取り込み、該入力されたパラメータ生成情報を第１のデータ変換手段を介してデータ形式に変換した後、前記パラメータを生成し、
前記生成されたパラメータは前記パラメータ抽出手段に送出され、
前記パラメータ抽出手段の出力に応じてパラメータ制御手段が前記ボリューム・イコライザ手段のパラメータを制御することにより前記楽音コンテンツを構成する
ことを特徴とする楽音コンテンツ構成方法。
【請求項２】
請求項１に記載の楽音コンテンツ構成方法において、
前記パラメータ設定手段において、前記楽音コンテンツの態様を示す形容詞または形容語を前記第１のデータ変換手段によりデータに変換して前記パラメータ抽出手段に入力する
ことを特徴とする楽音コンテンツ構成方法。
【請求項３】
楽音ソース読み取り手段から読み取り、音源出力手段により楽音コンテンツを出力する楽音コンテンツ構成方法において、
前記楽音コンテンツを提供する場所周辺の環境状態の情報を環境情報取得手段で計測し、
前記環境情報取得手段の計測結果で得られた情報を基に前記楽音ソースを少なくとも１つ以上楽音ソース選択手段において選択し、
前記楽音ソース選択手段で選択された楽音ソースをミキシング手段でミキシングして多様な楽音ソースから楽音コンテンツを構成する
ことを特徴とする楽音コンテンツ構成方法。
【請求項４】
請求項３に記載の楽音コンテンツ構成方法において、
前記楽音ソース選択手段は楽音ソース選択方法を入力するための第２の入力手段を有し、該入力手段に入力する該楽音ソース選択方法は前記楽音コンテンツの態様を示す形容詞または形容語をデータ形式に変換する第２のデータ変換手段を介して入力する
ことを特徴とする楽音コンテンツ構成方法。
【請求項５】
楽音ソース読み取り手段から読み取り、該読み取られた楽音ソースをボリューム・イコライザ手段により調整し、楽音コンテンツとして音源出力手段により出力する楽音コンテンツ構成方法において、
前記音源出力手段からの出力を提供する場所周辺の環境状態を環境情報取得手段により計測し、
前記楽音ソース読み取り手段からの楽音ソースに対して前記環境情報取得手段により計測された結果を参照して楽音ソース選択手段において前記楽音ソースを選択し、
前記環境情報取得手段の出力と、前記楽音ソース選択手段の出力と、で前記ボリューム・イコライザの動作を制御するためのパラメータをパラメータ抽出手段で抽出し、
また、前記パラメータはパラメータ設定手段においても生成することが出来、該パラメータ設定手段の出力は前記パラメータ抽出手段に送出された後、前記パラメータ抽出手段出力としてパラメータ制御手段に送出され、前記パラメータ制御手段出力で前記ボリューム・イコライザ手段のパラメータを制御し、
前記ボリューム・イコライザ手段の出力と前記楽音ソース選択手段の出力とをミキシング手段でミキシングした後に前記音源出力部に送出することにより、多様な楽音ソースから楽音コンテンツを構成することを特徴とする楽音コンテンツ構成方法。
【請求項６】
請求項５記載の楽音コンテンツ構成方法において、
前記パラメータ設定手段は、第３の入力手段を介して入力されたパラメータ生成情報を第３のデータ変換手段でデータ形式に変換し、
また、前記楽音ソース選択手段は、入力された楽音ソース選択方法を入力するための第４の入力手段を有し、該入力手段に入力する該楽音ソース選択方法は前記楽音コンテンツの態様を示す形容詞または形容語をデータに第３のデータ変換手段を介して入力する
ことを特徴とする楽音コンテンツ構成方法。
【請求項７】
楽音ソース読み取り部から読み取り、該読み取られた楽音ソースをボリューム・イコライザ部により調整し、楽音コンテンツとして音源出力手段により出力する楽音コンテンツ構成装置において、
前記音源出力部の出力を提供する場所周辺の環境状態から前記環境情報を取得するため環境状態の計測を行う環境情報取得部と、
前記環境状態取得部で計測された環境情報を基に前記ボリューム・イコライザ部の動作を制御するパラメータを抽出するパラメータ抽出部と、
前記抽出されたパラメータで前記ボリューム・イコライザ部に設定されている前記パラメータを制御するためのパラメータ制御部と、
前記環境情報及び外部データ発生手段からのデータ入力手段を有するパラメータ設定部と、
を有することを特徴とする楽音コンテンツ構成装置。
【請求項８】
請求項７に記載の楽音コンテンツ構成装置において、
前記パラメータ設定は、前記楽音ソース選択のために楽音コンテンツの態様を示す形容詞または形容語をデータ形式に変換するデータ変換手段を介して入力する入力手段を有している
ことを特徴とする楽音コンテンツ構成装置。
【請求項９】
楽音ソース読み取部から読み取り、音源出力部から楽音コンテンツを出力する楽音コンテンツ構成装置において、
前記楽音コンテンツを提供する場所周辺の環境状態を計測する環境情報取得部と、
前記環境情報取得部の計測結果で得られた情報を基に前記楽音ソースの選択方法を設定する楽音ソース選択部と、
前記楽音ソース選択部からの情報により前記楽音ソースをミキシングし、該ミキシング結果の信号を前記音源出力部に送出するミキシング部と、
を有することを特徴とする楽音コンテンツ構成装置。
【請求項１０】
楽音ソース読み取り部から読み取り、該読み取られ取られた楽音ソースをボリューム・イコライザ部により調整し、該調整された楽音ソースを楽音コンテンツとして音源出力部により出力する楽音コンテンツ構成装置において、
前記音源出力部からの出力を提供する場所周辺の環境状態を計測する環境情報取得部と、
前記環境情報取得部の情報を基に前記楽音ソースを選択する楽音ソース選択部と、
前記環境情報取得部による計測結果の情報を基に楽音ソース選択方法及び調整方法を設定するためのパラメータを抽出するパラメータ抽出部と、
前記抽出されたパラメータの情報により前記ボリューム・イコライザ部に設定されているパラメータを制御するパラメータ制御部と、
前記環境情報及び外部データ発生手段からのデータの入力手段を有し、該環境情報および該入力手段からのデータによりパラメータを設定することが出来るパラメータ設定部と、
前記楽音ソース選択部からの情報により前記読み取られた楽音ソースをミキシングし、前記音源出力部に送出するミキシング部と、
を有することを特徴とする楽音コンテンツ構成装置。
【請求項１１】
請求項１乃至請求項６に記載の楽音コンテンツ構成方法をコンピュータを用いて実現する為のプログラムであって、コンピュータに
前記環境情報により前記パラメータの抽出し、該パラメータに基づき、また、該パラメータに関連付けられた形容詞または形容語何れかのデータをデータ変換手段によりデータ形式に変換することにより楽音コンテンツを構成する処理を実行させるための楽音コンテンツ構成プログラム。
【請求項１２】
請求項１１に記載のプログラムであって、
前記環境情報により前記パラメータの抽出し、該パラメータに基づき、また、該パラメータに関連付けられた形容詞または形容語何れかのデータをデータ変換手段によりデータ形式に変換することにより楽音コンテンツの構成を実行させるためのプログラムを記録したコンピュータ読み取り可能な記録媒体。
【請求項１３】
請求項１乃至請求項６の何れかに記載の楽音コンテンツ構成方法において、
前記環境情報取得手段が存在しない場合は、乱数発生器により乱数値を発生し、該乱数値を仮の環境情報の値とし、
前記乱数値と予め設定されている閾値との大小関係を楽音ソース選択判定処理において比較し、
前記乱数値が前記閾値に対して予め定められた範囲内に収斂するまで、前記乱数値発生から前記楽音ソース選択判定処理までの一連の処理を繰り返すことを特徴とする楽音コンテンツ構成方法。
【発明の詳細な説明】
【技術分野】
【０００１】
本発明は、多数のメロディ素片その他音響素材である楽音ソースを組み合わせ調整し、周囲の環境に適した楽音コンテンツを容易に構成する方法とその装置及び楽音コンテンツ構成プログラムとその記録媒体に関する。
【背景技術】
【０００２】
今日、さまざまな情報端末には多様な楽音コンテンツがマルチメディアコンテンツとして配信され、これら情報端末の各ユーザにおいて使用されている。特に、パソコンによりＷｅｂ上にこれら楽音コンテンツをアップロードし、上記マルチメディアコンテンツのプロモーション等が行われている。なお、ここで、楽音コンテンツとしては音声情報も含むものとする。
【０００３】
一般に、メロディ素片、音素、楽曲素片等の楽音ソースを楽音コンテンツの構成要素として使用する際、ユーザに対しては音楽の知識や、楽器・編集機器等の操作技術が必要とされ、その上さらに、音楽的センス等も要求されてくるため、例えば「落ち着いた感じの楽曲を作りたい」と思っても、所望の楽音コンテンツを構成することは一般ユーザにとっては非常に困難な作業であった。
【０００４】
このため、従来の方法では、単にメロディの組み合わせのみではなく、セッションとして複数の演奏者がいる場合に一つ一つの音素（楽音ソース）を並べ替えることによって楽音コンテンツ（すなわち音楽）を構成したり、ユーザの感情に関する音声信号あるいは楽音信号の特徴量が予め設定されている基準値からのズレを求めてユーザの感情を適切に判断する装置（特許文献１「感情認識装置」）、音声信号等から拍（テンポ）の情報を拍の揺らぎの情報と共に詳細に検出し、これによりユーザの拍の揺らぎも含めてＭＩＤＩシーケンサとの同期を正しく行う装置（特許文献２「拍検出装置及びそれを用いた同期制御装置」）、オーディオ情報を提供する空間の目的、あるいはその空間が創り出すイメージに適応した音楽を選曲し提供する装置（特許文献３「オーディオ情報提供システム」）、音楽セッションのように即興的な性質上、客観的な情報のみならず、感性的要素を有する主観的な感情の情報等も加味して音楽を構成する装置及びシステム（特許文献４「音楽セッション装置及びシステム」）等が開示されている。
【０００５】
これらの他、人、騒音、明るさ、気候等の環境情報を用いて楽音信号を制御するものとして、楽音情報を提供する場所の環境条件に応じて発生する楽音データの音量、テンポ、音色、曲目等を制御し設定する装置（特許文献５「音響発生装置」）、あるいは自然光が照射されない部屋において、提供する音楽の選曲及び音質の変化から建物外の環境の変化が判るようにした装置（特許文献６「音楽演奏変更装置」）等、環境条件あるいは人為的要件により提供する音楽を制御する装置あるいは方法について各種開示されている。  
さらに、音声信号の基本周波数、パワー、動的特徴量の時間的変化特性等の何れか、またはこれらのフレーム間差分の少なくとも何れかを含む音声特徴量を用いて入力音声が強調状態にあるか平静状態にあるかを求め、この結果から話者に依存しない発話状態判定を行う音声処理方法についての開示もなされている。（特許文献７「音声処理方法及びその方法を使用した装置及びそのプログラム」）
【特許文献１】特開平５−１２０２３号公報
【特許文献２】特開平５−００６１７２号公報
【特許文献３】特開２００２−３３３８９２号広報
【特許文献４】特開平８−６９２８３号公報
【特許文献５】特許番号第２９７２４３１号
【特許文献６】実開平５−２７７９４号公報
【特許文献７】特開２００３−３１６３７８号広報
【発明の開示】
【発明が解決しようとする課題】
【０００６】
以上述べたように従来の技術では、楽器やコンピュータ等のスキルのある人にしか楽音コンテンツを構成することができず、楽音コンテンツを容易に構成したいという一般ユーザのニーズに応えることが困難であると言った問題があった。一般ユーザが、自分が思うような楽曲を容易に構成することができるようにするために、例えば、一般ユーザの感性が要求する曲想を簡単なキーワードを入力することによって自動的あるいは容易に音楽コンテンツを構成したり、変更したりすることが可能であるような楽音コンテンツ作成支援ツールは現在に至るまで実現されていなかった。
【０００７】
このような楽音コンテンツ作成支援ツールを実現するためには、楽音コンテンツを提供する場所および騒音、居合わせる人、気候条件、時刻等の環境情報を勘案し、ユーザの好みも含めて楽音コンテンツ構成のためのパラメータ設定を行ったり、さらにはユーザの感性を反映するための各種情報と設定パラメータに応じて抽出された複数の楽音ソースをミキシングして組み替え処理を行うことにより楽音コンテンツを作成する等の技術が要求される。  
本発明は、このような専門的な技術を使用することなく、楽音ソース選択の各種パラメータを用いてユーザが意図する楽音コンテンツを容易に作成可能とする方法、装置及び楽音コンテンツ作成プログラムと記録媒体の提供を目的としている。
【課題を解決するための手段】
【０００８】
上記目的を達成するために、請求項１においては、楽音ソース読み取り手段から読み取り、該読み取られた楽音ソースをボリューム・イコライザ手段により調整し、楽音コンテンツとして音源出力手段により出力する楽音コンテンツ構成方法において、前記楽音コンテンツを提供する場所周辺の環境状態の情報を環境情報取得手段により計測し、前記環境情報取得手段において計測した環境情報を基に、前記ボリューム・イコライザ手段の動作を制御するための１つまたは複数のパラメータをパラメータ抽出手段において抽出し、また、パラメータ設定手段では、外部から入力されたパラメータ生成情報を第１の入力手段を介して取り込み、該入力されたパラメータ生成情報を第１のデータ変換手段を介してデータ形式に変換した後、前記パラメータを生成し、前記生成されたパラメータは前記パラメータ抽出手段に送出され、前記パラメータ抽出手段の出力に応じてパラメータ制御手段が前記ボリューム・イコライザ手段のパラメータを制御することにより前記楽音コンテンツを構成する楽音コンテンツ構成方法について規定している。
【０００９】
請求項２においては、請求項１に記載の楽音コンテンツ構成方法において、前記パラメータ設定手段において、前記楽音コンテンツの態様を示す形容詞または形容語を前記第１のデータ変換手段によりデータに変換して前記パラメータ抽出手段に入力する楽音コンテンツ構成方法について規定している。
【００１０】
請求項３においては、楽音ソース読み取り手段から読み取り、音源出力手段により楽音コンテンツを出力する楽音コンテンツ構成方法において、前記楽音コンテンツを提供する場所周辺の環境状態の情報を環境情報取得手段で計測し、前記環境情報取得手段の計測結果で得られた情報を基に前記楽音ソースを少なくとも１つ以上楽音ソース選択手段において選択し、前記楽音ソース選択手段で選択された楽音ソースをミキシング手段でミキシングして多様な楽音ソースから楽音コンテンツを構成する楽音コンテンツ構成方法について規定している。
【００１１】
請求項４においては、請求項３に記載の楽音コンテンツ構成方法において、前記楽音ソース選択手段は楽音ソース選択方法を入力するための第２の入力手段を有し、該入力手段に入力する該楽音ソース選択方法は前記楽音コンテンツの態様を示す形容詞または形容語をデータ形式に変換する第２のデータ変換手段を介して入力する楽音コンテンツ構成方法について規定している。
【００１２】
請求項５においては、楽音ソース読み取り手段から読み取り、該読み取られた楽音ソースをボリューム・イコライザ手段により調整し、楽音コンテンツとして音源出力手段により出力する楽音コンテンツ構成方法において、前記音源出力手段からの出力を提供する場所周辺の環境状態を環境情報取得手段により計測し、前記楽音ソース読み取り手段からの楽音ソースに対して前記環境情報取得手段により計測された結果を参照して楽音ソース選択手段において前記楽音ソースを選択し、前記環境情報取得手段の出力と、前記楽音ソース選択手段の出力と、で前記ボリューム・イコライザの動作を制御するためのパラメータをパラメータ抽出手段で抽出し、また、前記パラメータはパラメータ設定手段においても生成することが出来、該パラメータ設定手段の出力は前記パラメータ抽出手段に送出された後、前記パラメータ抽出手段出力としてパラメータ制御手段に送出され、前記パラメータ制御手段出力で前記ボリューム・イコライザ手段のパラメータを制御し、前記ボリューム・イコライザ手段の出力と前記楽音ソース選択手段の出力とをミキシング手段でミキシングした後に前記音源出力部に送出することにより、多様な楽音ソースから楽音コンテンツを構成する楽音コンテンツ構成方法について規定している。
【００１３】
請求項６においては、請求項５記載の楽音コンテンツ構成方法において、前記パラメータ設定手段は、第３の入力手段を介して入力されたパラメータ生成情報を第３のデータ変換手段でデータ形式に変換し、また、前記楽音ソース選択手段は、入力された楽音ソース選択方法を入力するための第４の入力手段を有し、該入力手段に入力する該楽音ソース選択方法は前記楽音コンテンツの態様を示す形容詞または形容語をデータに第３のデータ変換手段を介して入力する楽音コンテンツ構成方法について規定している。
【００１４】
請求項７においては、楽音ソース読み取り部から読み取り、該読み取られた楽音ソースをボリューム・イコライザ部により調整し、楽音コンテンツとして音源出力手段により出力する楽音コンテンツ構成装置において、前記音源出力部の出力を提供する場所周辺の環境状態から前記環境情報を取得するため環境状態の計測を行う環境情報取得部と、前記環境状態取得部で計測された環境情報を基に前記ボリューム・イコライザ部の動作を制御するパラメータを抽出するパラメータ抽出部と、前記抽出されたパラメータで前記ボリューム・イコライザ部に設定されている前記パラメータを制御するためのパラメータ制御部と、前記環境情報及び外部データ発生手段からのデータ入力手段を有するパラメータ設定部と、を有する楽音コンテンツ構成装置について規定している。
【００１５】
請求項８においては、請求項７に記載の楽音コンテンツ構成装置において、前記パラメータ設定は、前記楽音ソース選択のために楽音コンテンツの態様を示す形容詞または形容語をデータ形式に変換するデータ変換手段を介して入力する入力手段を有している楽音コンテンツ構成装置について規定している。
【００１６】
請求項９においては、楽音ソース読み取部から読み取り、音源出力部から楽音コンテンツを出力する楽音コンテンツ構成装置において、前記楽音コンテンツを提供する場所周辺の環境状態を計測する環境情報取得部と、前記環境情報取得部の計測結果で得られた情報を基に前記楽音ソースの選択方法を設定する楽音ソース選択部と、前記楽音ソース選択部からの情報により前記楽音ソースをミキシングし、該ミキシング結果の信号を前記音源出力部に送出するミキシング部と、を有する楽音コンテンツ構成装置について規定している。
【００１７】
請求項１０においては、楽音ソース読み取り部から読み取り、該読み取られ取られた楽音ソースをボリューム・イコライザ部により調整し、該調整された楽音ソースを楽音コンテンツとして音源出力部により出力する楽音コンテンツ構成装置において、前記音源出力部からの出力を提供する場所周辺の環境状態を計測する環境情報取得部と、前記環境情報取得部の情報を基に前記楽音ソースを選択する楽音ソース選択部と、前記環境情報取得部による計測結果の情報を基に楽音ソース選択方法及び調整方法を設定するためのパラメータを抽出するパラメータ抽出部と、前記抽出されたパラメータの情報により前記ボリューム・イコライザ部に設定されているパラメータを制御するパラメータ制御部と、前記環境情報及び外部データ発生手段からのデータの入力手段を有し、該環境情報および該入力手段からのデータによりパラメータを設定することが出来るパラメータ設定部と、
前記楽音ソース選択部からの情報により前記読み取られた楽音ソースをミキシングし、前記音源出力部に送出するミキシング部と、を有する楽音コンテンツ構成装置について規定している。
【００１８】
請求項１１においては、請求項１乃至請求項６に記載の楽音コンテンツ構成方法をコンピュータを用いて実現する為のプログラムであって、コンピュータに前記環境情報により前記パラメータの抽出し、該パラメータに基づき、また、該パラメータに関連付けられた形容詞または形容語何れかのデータをデータ変換手段によりデータ形式に変換することにより楽音コンテンツを構成する処理を実行させるための楽音コンテンツ構成プログラムについて規定している。
【００１９】
請求項１２においては、請求項１１に記載のプログラムであって、前記環境情報により前記パラメータの抽出し、該パラメータに基づき、また、該パラメータに関連付けられた形容詞または形容語何れかのデータをデータ変換手段によりデータ形式に変換することにより楽音コンテンツの構成を実行させるためのプログラムを記録したコンピュータ読み取り可能な記録媒体について規定している。
【００２０】
請求項１３においては、請求項１乃至請求項６の何れかに記載の楽音コンテンツ構成方法において、前記環境情報取得手段が存在しない場合は、乱数発生器により乱数値を発生し、該乱数値を仮の環境情報の値とし、前記乱数値と予め設定されている閾値との大小関係を楽音ソース選択判定処理において比較し、前記乱数値が前記閾値に対して予め定められた範囲内に収斂するまで、前記乱数値発生から前記楽音ソース選択判定処理までの一連の処理を繰り返す楽音コンテンツ構成方法について規定している。
【発明の効果】
【００２１】
前記本発明による楽音コンテンツ構成方法では、楽音コンテンツを提供する場所周辺の環境状態を考慮したパラメータを、環境状態を測定することにより自動的に生成することを可能にしており、このパラメータを用いて多様な楽音ソースから予め設定されている選択方法を基に選択して組み合わせるため、特別な音楽的スキルがなくとも目的とする楽音コンテンツの構成を容易なものにしている。
【００２２】
さらに上記パラメータの選択に際して、予め設定されている選択方法に含まれない楽音ソースが必要となった場合においても、各種選択方法に対応付けられている形容詞または形容語の入力を可能としているため、ユーザはこれら用語を入力するのみで、より容易に、より的確に意図する楽音コンテンツを構成することが出来る。また、読み出された多種多様な楽音ソースを周辺の環境状態に応じてミキシング処理を行うことにより組み替える方法とすることで新たな効果を有する楽音コンテンツを構成することを可能としている。
【発明を実施するための最良の形態】
【００２３】
（実施の形態１）
図１に本発明による楽音コンテンツ構成装置の第１の実施の形態であるブロック図を示す。図１において、楽音ソース読み取り部１１は予め各種多様な楽音ソースが登録されているファイル装置である。この読み込まれている多種多様な楽音ソースの中から、適宜読み取り、さらにボリューム・イコライザ部１２により、読み取られたそれぞれの楽音ソースの信号レベル、及び全体の信号レベルの何れかまたは両方の信号レベルが調整される。これにより提供すべき音源としての楽音コンテンツが構成され、音源出力部１３を介して出力される。
【００２４】
ここで、図１における、楽音ソース読み取り部１１、ボリューム・イコライザ部１２および音源出力部１３で構成された楽音コンテンツ選択調整出力部１０は従来公知の構成である。本発明においては、環境情報取得部１４により計測された環境条件に応じてボリュームイコライザ部１２の動作を設定するパラメータ（パラメータの内容については後述する。）をパラメータ抽出部１５で抽出した後、パラメータ制御部１６によりボリューム・イコライザ部１２のパラメータを制御し、このようにして楽音コンテンツ選択調整出力部１０の動作を制御することにより楽音コンテンツ（音源）として出力することを特徴としている。
【００２５】
ここで、パラメータ設定部１７は、パラメータ抽出部１５出力に含まれない新しいパラメータを生成する入力手段を有しており、使用者の操作により入力された外部からの信号を図示しないがデータ変換部でデータ形式に変換してパラメータの設定を可能にしている。パラメータ設定部１７においては、環境情報取得部１４からの情報および楽音ソース読み取り部１１からの楽音ソース信号等を参照しながら設定するため、楽音ソース読み取り部１１とパラメータ設定部１７、環境情報取得部１４とパラメータ設定部１７とはそれぞれ対話的に動作するように構成されている。なお、楽音ソース読み取り部に楽音ソースを追加する際は、パラメータ設定部１７の例えばキーボードを使用者が操作する等の入力手段を介して入力処理が行われる。これにより、環境の変化に応じて自由に楽音コンテンツに変化を与えることが出来、新たな楽音コンテンツとして出力することを可能にしている。なお、楽音ソース読み取り部１１に楽音ソースを追加する際はパラメータ設定部１７の入力手段を介して行われる。
【００２６】
この構成により、多種多様な楽音ソースを周辺の環境状態に適応した形に成形し、新たな楽音コンテンツとして出力する。なお、上記の環境条件とは、楽音コンテンツが提供される空間（場所）周辺における人数、人の動き、騒音レベル、気候条件、時刻等の環境状態を指す。
【００２７】
上記環境状態の具体的な例として、例えば、環境情報取得部１４にカメラを用いた場合、その出力である画像信号に対して認識処理を行うことにより、その場にいる楽音コンテンツ提供の対象となる通行者の人数及びそれらの動きに関する情報を取得することが出来る。その他、カメラ以外に、例えば環境情報取得部１４にＩＤタグのリーダ（読取装置）、赤外線読取装置、ＢＬＵＥＴＯＯＴＨ等を用いることにより、楽音コンテンツ提供場所周辺に存在する人や物の数量あるいは動きを把握したり、さらにはこれらの人が携行しているＩＤタグ等に記録されている個人情報あるいは個人に関する趣味嗜好等の属性情報を取得することも可能となる。
【００２８】
また、環境情報取得部１４は、上記のように人に関する情報を取得するだけでなく、時刻を取得する時計や、気象情報を取得するための温度計、湿度計、あるいは、ネットワーク上の天気予報など、さまざまなメディアからその場の状況の情報を取得する手段を備えることも可能である。これらの構成により、複数の環境情報を取得する手段から多様で、かつ、より的確なその場の状態を把握し、複数の楽音ソースから新たな楽音コンテンツを構成することを可能にする。
【００２９】
このような構成とすることにより、例えば、環境情報取得部１４が取得した情報から設定されるパラメータをパラメータ抽出部１５で抽出し、このパラメータを用いてパラメータ制御部１６を介してボリューム・イコライザ部１２のパラメータを制御する。ボリューム・イコライザ部１２においては最終的に提供する楽音コンテンツのボリュームを最適化させたり、あるいは楽音ソース読み取り部１１から読み取られた楽音ソースそれぞれの間の信号レベルのバランスを調整することにより楽音コンテンツの音色や音質を変化させたり、さらには、楽音コンテンツにエコー等のエフェクトをかける処理を施して楽音コンテンツを提供する場（空間）の状況にあわせたものとし、音源出力部１３を介して出力される。
【００３０】
ここで、パラメータ抽出部１５においては、環境情報取得部１４で収集されるか、あるいはパラメータ設定部１７で設定されるパラメータ決定要因となる情報を用いて、予め定められた関係式（後述の数１式または数２乃至数４式）により各種パラメータを算出する演算が行われる。これにより得られるパラメータを用いて、出力する楽音コンテンツを部分的に重み付けをしたりすることが可能である。例えば、ある楽音ソースの音圧をあげて、他方の楽音ソースの音圧を下げ、さらに他の楽音ソースを強調したり、音色を変更して特色を持たせたり、またある楽音ソースにエコー等のエフェクトをかけたりすることを可能にすることが出来る。
【００３１】
また、パラメータ設定部１７は、前記のように外部データ発生手段（例えばパターン発生器等）から情報を入力するか、あるいはキーボード等を介して使用者が操作して入力する入力手段を有しており、この入力手段に入力される情報である音楽コンテンツの態様を示す形容詞または形容語をデータ変換手段によりデータ形式に変換してパラメータ生成処理を行い、これにより得られたパラメータをパラメータ抽出部１５を経由してパラメータ制御部に送出する。これにより、さらに容易に新たな楽音コンテンツを構成することができる。このような、形容詞または形容語の例として、例えば、
あたたかい                派手な                  軽やかな
かたい                    複雑な                  あたらしい
はやい                    にぎやかな              変化に富んだ
興奮した                  美しい                  男性的な
積極的な                  能動的な                自然な
まとまった                はっきりした            現実的な
趣味的な                  個性的な                目立つ
便利な                    手軽な                  面白い
つめたい                  地味な                  重々しい
やわらかい                単純な                  古い
おそい                    落ち着いた              単調な
冷静な                    醜い                    女性的な
消極的な                  受動的な                不自然な
ばらばらな                ぼんやりした            幻想的な
実用的な                  平凡な                  目立たない
不便な                    煩雑な                  つまらない
等を挙げることが出来る。
【００３２】
また、例えば店舗等で用いる広告用の音楽コンテンツなどを想定した形容詞・形容語として
高級感のある
安価な感じの
大人っぽい
子供っぽい
等を加えても良い。これら形容詞または形容語の入力に対してはデータ変換部を内蔵し、対応する符号に変換する気候としておくことにより目的は達成される。
【００３３】
また、パラメータ設定部１７に、前記「特許文献７」に記載の方法及びプログラムを用いて楽音ソースに関する特徴量を抽出し、これをパラメータとして用いることも可能である。
【００３４】
（実施の形態２）
図２は本発明における第２の実施の形態としてのブロック図である。すなわち、環境情報取得部１４からの情報を選択条件として楽音ソース読み取り部１１から楽音ソース選択部２１に楽音ソースを選択して読み込む。楽音ソース選択部２１で選択された複数の楽音ソースをミキシング部２２でミキシング処理を行い、これにより多様な楽音ソースから新たな楽音コンテンツを生成し、音源出力部１３を介して出力する構成である。ここで、ミキシング処理とは、入力された複数の楽音ソースの組み合わせ、あるいはそれぞれの楽音ソースの信号レベルの比を操作して各種の楽音コンテンツを生成する処理を言う。
【００３５】
この構成により、多様な楽音ソースを、楽音コンテンツを提供する場所周辺の環境状態に応じてミキシングして、新たな楽音コンテンツを出力することが可能となる。また、環境情報取得部１４を複数設置し、これにより多様でかつ、より的確な環境情報を取得し、その場所の環境に適した楽音ソースを用いてミキシングし、新たな楽音コンテンツを生成することを可能にしている。すなわち、これら環境情報取得部１４が取得した結果により、楽音ソース選択部２１においてその場所の環境に適した楽音ソースを選択し、ミキシング部２２により新たにミキシングされた楽音コンテンツを構成することが可能となる。
【００３６】
また、図２の構成において、楽音ソース選択部２１において予め設定されていない選択方法を別途設定し得る機能を持たせるため、図示しないが、例えばデータ発生器あるいは使用者によって操作されるキーボード等の入力手段を介して入力された外部からの楽音ソース選択方法に関する情報はデータ変換部によりデータ形式に変換され、このデータを用いて新しい楽音ソース選択方法を設定することが出来る。これにより、環境情報取得部１４の出力を用いての選択方法では得られなかった新たな選択方法を設定することが出来る。
【００３７】
楽音ソース選択法としては楽音ソース選択部２１で予め定められた数式を用いて楽音ソースを算出する。この構成により、複数の数式（例えば、後述の数２式乃至数４式）を用いて、パラメータを決定する変数（要因）に重み付けをした結果を楽音ソースの選択に反映させることが出来る。
【００３８】
例えば、前記「特許文献７」において開示されている音声特徴量に相当する楽音特徴量から楽音ソース設定時には予想していなかった新しい楽音ソースを図示しないが例えばマイクロフォンを介して入力することも可能とし、これにより楽音ソースをミキシングする範囲を拡大することも出来る。
【００３９】
さらに、楽音ソース選択部２１において、前記外部からの入力手段への入力データを予め設定されている楽音ソース選択方法に関連付けられた形容詞または形容語に置き換え、これら形容詞または形容語を入力し、符号化して楽音ソース選択部２１に取り込むことにより新たな楽音コンテンツをさらに容易に構成することが可能になるという効果がある。これに使用する形容詞または形容語の例は前述のとおりである。
【００４０】
楽音ソース選択部２１においては、楽音ソースの楽音特徴量から楽音ソースの選択方法の手順として設定する機能を備えている。これにより、楽音特徴量を抽出し、その結果を楽音ソースの選択方法として用いることが出来る。
【００４１】
（実施の形態３）
図３は本発明における第３の実施の形態における構成を示すブロック図である。楽音ソースであるメロディ素片の類は楽音ソース読み取り部１１から読み取られ、この読み取られた楽音ソースはボリューム・イコライザ部１２において各楽音ソースの信号レベル、あるいは楽音ソース全体の信号レベルに関してそれぞれ調整される。
【００４２】
この調整された楽音ソースから生成された音源となる楽音コンテンツ（音源）を、音源出力部１３を介して出力する構成は実施の形態１で述べた従来例と同様であるが、本実施の形態３の特徴とするところは、ボリューム・イコライザ部１２で信号レベル調整を行った楽音ソースと、実施の形態２で示した楽音ソース選択部２１の出力とをミキシング部２２でミキシングして各楽音ソースの組み合わせの組み換えを行うことによりさらに多様な楽音コンテンツの形成を可能にしていることである。
【００４３】
図３の装置の動作は以下のように説明される。楽音ソース読み取り部１１から楽音ソースは読み取られボリュームイコライザ部１２に入力されるが、ここで、楽音ソース選択部２１は環境情報取得部１４からの環境状態の計測結果により選択する楽音ソースを最適化するために環境情報取得部１４と対話的に動作する。また、パラメータ設定部１７の場合も、同様にパラメータ設定部１７経由でパラメータを設定する場合は楽音ソース読み取り部１１と対話的に処理して最適パラメータを求めてパラメータ抽出部１２に送出する。
【００４４】
また、ボリューム・イコライザ部１２の動作は、パラメータ抽出部１５において抽出されたパラメータを、パラメータ制御部１６によりボリューム・イコライザ部１２の動作を設定しているパラメータを制御することにより設定される。ここで、パラメータ抽出部１５においては、環境情報取得部１４の出力と、楽音ソース選択部２１の出力と、パラメータ設定部１７の出力と、を用いてパラメータ抽出部１５からパラメータを抽出し、抽出されたパラメータによりパラメータ制御部１６を経由してボリューム・イコライザ部１２を制御する。これにより得られたボリューム・イコライザ部１２の出力は楽音ソース選択部２１の出力と共にミキシング部２２に入力されミキシング処理される。このようにして得られたミキシング部２２出力は、多様な楽音ソースを周辺の環境状態に応じた新たな楽音コンテンツとして音源出力部１３により出力される。
【００４５】
以上に示したような装置を用いて、楽音コンテンツを構成する場合の例として、例えば通行者が表示ディスプレイの前を通行する際、
ディスプレイに注目することなく通過する場合、
ディスプレイに注目しながら通過する場合、
ディスプレイに注目し立ち止まる場合
の３つの場合が想定される。このような３つの場合については、例えば、装置側のカメラ出力を画像解析して視線の方向を分析することにより弁別できる。
【００４６】
まず、ディスプレイに注目することなく通過する第１の場合を考えると、この場合は単に前を通過するのみであるから、例えば、朝は音量を下げて楽音を再生したり、楽音データから、予め静かなメロディ、うるさいメロディ、楽しいメロディ、悲しいメロディ等を分類しておき静かな、落ち着いた、等の形容詞または形容語に対応するメロディを組み合わせて楽音を構成することが可能である。
【００４７】
また、ディスプレイに注目しながら通過する第２の場合を考えると、この場合、昼間は音量を上げて、より注目を集めるようにポップで明るいメロディを、前記と同様に形容詞または形容語との対応で選択し、組み合わせることによって楽音を構成することが可能である。
【００４８】
また、ディスプレイに注目し立ち止まる第３の場合を考えると、この場合、音量は中程度、表示デイスブレイの表示された内容の持つイメージに合い、内容を損なわないように形容詞、形容語を選択し、その対応でメロディを組み合わせることによって楽音を構成することが可能である。
【００４９】
さらに、このような装置を用いて、楽音コンテンツを構成する場合の例として、表示ディスプレイの前に、一人しかいない場合と、数名いる場合と、集団で沢山の人がいる場合と、が考えられる。
【００５０】
まず、一人しかいない場合は、環境情報取得部１４を通じて取得した対象者が携行しているＩＤタグ等に記録されている個人の趣味、嗜好等の各種属性に基づき、属性情報を反映することによってその個人の好みに近い楽音を構成することが可能である。
【００５１】
また、複数名いる場合は、環境情報取得部１４を通じて取得した個人情報を必要数選択し、その属性情報をランダムに組み替えることによって一人でいるときとは違った新しいイメージの含まれる楽音を構成することが可能である。
【００５２】
また、グループを形成している集団でいる場合は、例えばそのときの時刻を反映し、朝ならヒーリングなどに象徴される「癒し、静かな」などの形容詞、形容語を反映した楽音を構成し、昼なら活動的なイメージの「元気な、明るい」などの形容詞、形容語を反映した楽音を構成し、夜なら「大人っぽい、落ち着いた」などの形容詞または形容語を反映した楽音を構成することが可能である。
【００５３】
この際、設置場所を考慮し、駅（通路・駅構内）、店舗（飲食店・宝飾店・服飾店など）、様々な場所の特性にあった形容詞または形容語を選択することも可能である。
【００５４】
（実施の形態４）
以下、パラメータの抽出・設定の手順について説明する。  
図１乃至図３に記載の環境情報取得部１４で収集される環境情報は、図４に示す「人」に関するパラメータ設定要因となる情報と、図５に示す「気候」に関するパラメータ設定要因となる情報と、図６に示す「時刻」に関するパラメータ設定要因となる情報とに大別される。
【００５５】
図４の「人」に関する情報は、カメラ４１０に対して、物体認識処理４１１により人数ｎを把握し、物体の動きに関するベクトル抽出処理４１２により「人」の動きｍを求め、物体のズーム率及び三角測定処理４１３により人までの距離（遠近）ｄを算出することにより、人数ｎ、動きｍ、距離（遠近）ｄに関する情報を得、カメラ４１０がない場合、あるいはさらに多くの情報を得るために（無線タグ／ＰＨＳ／ＧＰＳ）４２０の何れかを用いて通過測定処理を行うことにより目標とする地域内を移動する人数ｎおよび、位置測定処理により所定の位置から「人」までの距離（遠近）ｄの情報を得、マイクロフォン４３０により音圧測定４３１を行い周囲騒音の音圧ｐのレベルに関する情報を得、必要ならば匂いセンサ４４０により匂い測定処理により匂いｓの情報を、それぞれ取得し出力する。
【００５６】
図５の「気候」に関する情報は、カメラ４１０から照度測定処理４１４を行い明るさｌの情報を、色相測定処理により色相ｒ，ｇ，ｂの情報を、温度センサ５２０により気温ａの情報を、湿度センサ５３０により湿度ｈの情報を、さらにカメラ４１０を使用しない場合の別手段として照度センサ５４０から明るさｌの情報を、風速センサ５５０により風速ｗの情報を、それぞれ取得し出力する。
【００５７】
図６の「時刻」に関する情報は、時計６１０より時刻ｔを取得し出力する。
【００５８】
図１及び図３記載のパラメータ抽出部１５では、上記環境情報取得部１４からの入力により、以下の（数１）式を用いてパラメータＰを算出する。
【００５９】
【数１】
2006235201.tif 000003
また、上記（数１）式のパラメータは「人」、「気候」及び「時刻」毎にそれぞれＰｆ，Ｐｃ，Ｐｔと分割して、
【００６０】
【数２】
2006235201.tif 000004
【００６１】
【数３】
2006235201.tif 000005
【００６２】
【数４】
2006235201.tif 000006
の各式より、同様に算出することも出来る。
【００６３】
パラメータ設定部１７では、例えば環境情報取得部１４が存在しない場合、あるいはパラメータ抽出部１５で抽出できなかったパラメータがある場合には目的とするパラメータあるいは仮のパラメータを外部でパターン発生器等の手段により生成し、これをパラメータ設定部１７に入力手段を介して入力する。この入力手段としては、前記のようにデータ発生器あるいは使用者によって操作されるキーボード等の入力手段の他にマイクロフォンによる音声入力も可能である。この場合はマイクロフォンからは例えば新しい楽音ソースを入力し、これをデータ化して楽音ソース読み取り部１１にこれを記録することになる。これによって、より多くの場面の環境に的確に対応することが出来るようになる。
【００６４】
この処理の流れを、環境情報取得部１４が存在する場合と存在しない場合とについて図７に示す。図７において、外部からの入力及び環境情報取得部１４の何れかまたは両者が共に存在しない場合（Ｓ１００およびＳ１０１が共に“ＮＯ”）には、楽音ソース読み取り部１１から楽音情報を取得し（Ｓ１０４）、ユーザからの入力があり（Ｓ１００“ＹＥＳ”）、環境情報取得部１４が存在し（Ｓ１０１“Ｙｅｓ”）、かつマイクロフォンが存在する場合（Ｓ１０２“ＹＥＳ”）にはマイクロフォンから楽音情報を取得し（Ｓ１０３）、マイクロフォンが存在しない場合（Ｓ１０２“ＮＯ”）は楽音ソース読み取り部１１から楽音ソース情報を読み込む（Ｓ１０４）。これにより得られた楽音ソース情報を前記「特許文献７」に記載の式（１１）及び（１２）を用いてＰＳｅｍｐ及びＰＳｎｒｍ値を算出し（Ｓ１０５）、楽音ソースの特徴量Ｐｅを
【００６５】
【数５】
2006235201.tif 000007
により求め、パラメータ抽出部１５に渡す。
【００６６】
また、パラメータ設定部１７にパラメータに関連付けられた形容詞または形容語を入力した場合、それぞれの形容語を例えば、
人；「派手な、かたい、複雑な、にぎやかな、興奮した、美しい、男性的な、積極的な、能動的な、現実的な、趣味的な、個性的な、目立つ、便利な、手軽な、面白い、まとまった，はっきりした、地味な、重々しい、やわらかい、単純な、落ち着いた、単調な、冷静な、醜い、女性的な、消極的な、受動的な、不自然な、ばらばらな、ぼんやりした、幻想的な、実用的な、平凡な、目立たない、不便な、煩雑な、つまらない」
気侯；「あたたかい、変化に富んだ、自然な、つめたい」
時刻；「軽やかな、あたらしい、はやい、古い、おそい」
と分類し、因子分析を行って因子得点を算出し、これにより図８に示す得点表を作成し、この得点表において予め定められた基準得点以上の得点から（例えば、図８における太字部分）因子を導出する。図８においては２つの因子の場合である。得られた因子得点の数値は図１及び図３記載のパラメータ抽出部１５に渡され、各因子得点に対応する要因（ｎ，ｍ，ｄ，‥‥等）に対応する係数ｋｉｊに代入されて上記（数２）（数３）（数４）の各式において各パラメータＰｆ、Ｐｃ、Ｐｔを算出する。
【００６７】
図１及び図３記載のパラメータ制御部１６では、パラメータ抽出部１５から得られた各パラメータを基に、ボリューム・イコライザ部１２のパラメータを制御する。  
図２及び図３に記載の楽音ソース選択部２１での処理の流れを図９に示す。環境情報取得部１４が存在する場合（Ｓ２００“ＹＥＳ”）、図１乃至図３に記載の環境情報取得部１４より環境情報を取得する（Ｓ２０２）。また、環境情報取得部１４が存在しない場合（Ｓ２００“ＮＯ”）、これは図７における（Ｓ１０１“ＮＯ”）の場合に相当しているが、この場合は図示しないが内蔵の乱数発生部により乱数を発生し、この乱数値を仮の環境情報の値とする（Ｓ２０１）。次に処理ステップＳ２０１または処理ステップＳ２０２において取得した値を、予め設定した“ＹＥＳ”または“ＮＯ”を判定する閾値Ｔｈを用いて、楽音ソース選択判定処理を行う（Ｓ２０３）。すなわち、前記乱数値と予め設定されている閾値との大小関係を楽音ソース選択判定処理において比較する。ここで、最初に設定した乱数値が閾値Ｔｈに対して予め定められた範囲内に至らない場合は、“ＹＥＳ”が得られるまで処理ステップ「乱数値を発生（Ｓ２０１）」から「楽音ソース選択判定処理（Ｓ２０３）」までのステップを繰り返す。この閾値Ｔｈに対する範囲内に収まったところでこの結果を受け、楽音ソース読み取り部１１において、該当する任意の楽音ソースを複数選択する（Ｓ２０４）。
【００６８】
図２及び図３記載のミキシング部２２では、楽音ソース選択部２１により選択された複数の楽音ソースをミキシングし、音源出力部１３に渡す。
【００６９】
以上述べたように、本発明においては、コンピュータに前記環境情報により前記パラメータの抽出と、該パラメータに基づき、また、該パラメータに関連付けられた形容詞または形容語何れかのデータをデータ変換手段によりデータ形式に変換することにより楽音コンテンツを構成する処理を実行させるための楽音コンテンツ構成プログラムを含むものである。
【００７０】
また、コンピュータに上記プログラム、すなわち、前記環境情報により前記パラメータの抽出し、該パラメータに基づき、また、該パラメータに形容詞または形容語の何れかのデータをデータ変換手段によりデータ形式に変換することにより楽音コンテンツの構成を実行させるためのプログラムを記録したコンピュータ読み取り可能な記録媒体も含むものである。
【図面の簡単な説明】
【００７１】
【図１】本発明における第１の実施の形態を示すブロック図。
【図２】本発明における第２の実施の形態を示すブロック図。
【図３】本発明における第３の実施の形態を示すブロック図。
【図４】人に関する環境情報を求めるフロー図。
【図５】気候に関する環境情報を求めるフロー図。
【図６】時刻に関する環境情報を求めるフロー図。
【図７】楽音コンテンツ構成の手順を示すフロー図。
【図８】入力した各形容語に関する得点に関する因子分析の結果図。
【図９】楽音ソース選択の手順を示すフロー図。
【符号の説明】
【００７２】
１０：楽音コンテンツ選択調整出力部
１１：楽音ソース読み取り部    １２：ボリューム・イコライザ部
１３：音源出力部          １４：環境情報取得部
１５：パラメータ抽出部      １６：パラメータ制御部
１７：パラメータ設定部      ２１：楽音ソース選択部
２２：ミキシング部
【図１】
2006235201.tif 000008
【図２】
2006235201.tif 000009
【図３】
2006235201.tif 000010
【図４】
2006235201.tif 000011
【図５】
2006235201.tif 000012
【図６】
2006235201.tif 000013
【図７】
2006235201.tif 000014
【図８】
2006235201.tif 000015
【図９】
2006235201.tif 000016